(57)【要約】【課題】  帽子枠装置を刺繍ミシンのＹ駆動系に連結するに際して、本体フレームに有する左右１対のＹ方向連結部を簡単に且つ迅速に連結できるようにすること。【解決手段】  下壁６１ａの下面に摺動部材６２が固着された姿勢調節部材６１が本体フレーム３１の連結フレーム３７の上端部に固定されている。一方、本体フレーム３１の後端部に設けられＹ方向送り枠１９に着脱可能に連結する左右１対のＹ方向連結部３７ｄと、左右１対のＹ方向連結部３７ｄ間に架着されシリンダベッド６の上面に当接し、摺動部材６２との協働により、本体フレーム３１の姿勢を所定の取付け姿勢に規制する姿勢規制部材５５とを備え、しかも、姿勢規制部材５５は、シリンダベッド６の上面に面接触状に当接する当接部５５ｂ及び延出部５５ｄを設けた。【選択図】  図６
2005073813.tif 000002
【特許請求の範囲】
【請求項１】
刺繍ミシンのＹ方向駆動系に連結される本体フレームと、その本体フレームに設けられ前記刺繍ミシンのシリンダベッドの上面を摺動する摺動部材と、前記本体フレームに回動可能に枢支される回動フレームと、刺繍ミシンのＸ方向駆動系に連結され回動フレームを回動させる回動機構と、回動フレームに装着される帽子枠とを備えた帽子枠装置において、
前記本体フレームの後端部に設けられ前記Ｙ方向駆動系に着脱可能に連結する左右１対のＹ方向連結部と、
前記左右１対のＹ方向連結部間に架着され前記シリンダベッドの上面に当接し、前記摺動部材との協働により、本体フレームの姿勢を所定の取付け姿勢に規制する姿勢規制部材と、
を備えたことを特徴とする帽子枠装置。
【請求項２】
前記姿勢規制部材は、シリンダベッドの上面に面接触状に当接する当接部を有することを特徴とする請求項１に記載の帽子枠装置。
【請求項３】
前記当接部は、姿勢規制部材をＹ方向連結部に着脱可能に固定する固定部よりも低く位置するように形成されていることを特徴とする請求項２に記載の帽子枠装置。
【請求項４】
前記当接部は、後方に所定長さ延出させた延出部を有することを特徴とする請求項２又は３の何れかに記載の帽子枠装置。
【発明の詳細な説明】
【技術分野】
【０００１】
本発明は、鍔付き帽子の前面部や側面部に、刺繍ミシンにより複数色の刺繍糸を用いて刺繍を施す帽子枠装置に関し、特に本体フレームの刺繍ミシンの駆動機構への取付けを簡単化できるようにしたものに関する。
【背景技術】
【０００２】
被縫製物に種々の刺繍模様を施す刺繍ミシンは、一般的に、被縫製物をＹ方向（前後方向）へ送るためのＹ方向送り枠と、Ｘ方向（左右方向）へ送るＸ方向送り枠とを備え、Ｙ方向送り枠には、帽子の前面部に種々の刺繍模様を形成する帽子枠装置が取付けられる。一方、一般的な帽子枠装置は、本体フレームと、この本体フレームに回動自在に支持された回動フレームと、この回動フレームに取付けられる帽子枠であって、刺繍縫いを施す鍔付き帽子をセットする帽子枠等を備えている（例えば、特許文献１）。
【０００３】
そこで、従来、鍔付き帽子の前面部や側面部に各種の刺繍を施す場合には、先ず、本体フレームを刺繍ミシンの駆動系に連結させる。この場合、本体フレームには、通常、左右１対のＹ方向連結部を設けてあるため、これら１対のＹ方向連結部を、刺繍ミシン側のＹ方向駆動系に同時に連結するようになっている。この種の本体フレームには、摩擦係数が小さい摺動部材が設けられ、この摺動部材を刺繍ミシンのシリンダベッドの上面を前後方向に摺動させるようにして、本体フレームのシリンダベッドの上面に対する高さ位置を所定の高さ位置に保持し得るようになっている。
【０００４】
そこで、帽子枠装置を刺繍ミシンに取付ける場合には、作業者は一体化された本体フレーム及び回動フレームを両手で持ち、摺動部材だけをシリンダベッド上面を摺動させながら、不安定状態で後方に移動させる。その移動途中においては、本体フレームの１対のＹ方向連結部を、刺繍ミシン側のＹ方向駆動系に有する１対のＹ方向駆動部に対応させるように、本体フレームの鉛直姿勢や水平軸回りの回動姿勢を修正しながら、本体フレームを後方に徐々に移動させ、１対のＹ方向連結部と１対の駆動部とを連結してから、これらＹ方向連結部と駆動部とをボルトにより締結するようにしている。
【０００５】
【特許文献１】特許第３１６９０４３号公報  （第３〜５頁、図２，図４）
【発明の開示】
【発明が解決しようとする課題】
【０００６】
特許第３１６９０４３号公報に記載の帽子枠装置を刺繍ミシンに装着する場合には、前述したように、本体フレームのＹ方向連結部と、刺繍ミシン側のＹ方向駆動系に有するＹ方向駆動部に対応させるように、本体フレームの鉛直姿勢や水平軸回りの回動姿勢（時計回り又は反時計回りの傾き）を修正しながら、本体フレームを後方に徐々に移動させるようにして装着させるため、本体フレームの刺繍ミシン側への取付け作業が複雑化するとともに、多大な取付け時間を要することになり、鍔付き帽子への刺繍縫い作業の作業能率が低下するという問題がある。
【０００７】
そこで、本体フレームを前後方向に案内する左右１対のガイドレールを刺繍ミシン側に設け、本体フレームをこれらガイドレールに沿って奥側に移動させるようにして、本体フレームのＹ方向連結部と、刺繍ミシン側のＹ方向駆動部との連結を簡単化することも考えられるが、この場合には、刺繍ミシン側にガイドレールを付設させる補修作業を必要とし、刺繍ミシンがコスト高になるという問題が起こる。
【０００８】
更に、帽子枠装置を使用しないで、作業テーブルを上昇させて大型の可動枠により平坦な生地に刺繍を施す場合には、これらガイドレールも取り外すようになり、帽子枠装置の取付け又は取外しと同時に、ガイドレールの取付け作業や取外し作業が伴うため、作業性が低下するという問題がある。
【課題を解決するための手段】
【０００９】
請求項１の帽子枠装置は、刺繍ミシンのＹ方向駆動系に連結される本体フレームと、その本体フレームに設けられ刺繍ミシンのシリンダベッドの上面を摺動する摺動部材と、本体フレームに回動可能に枢支される回動フレームと、刺繍ミシンのＸ方向駆動系に連結され回動フレームを回動させる回動機構と、回動フレームに装着される帽子枠とを備えた帽子枠装置において、本体フレームの後端部に設けられＹ方向駆動系に着脱可能に連結する左右１対のＹ方向連結部と、左右１対のＹ方向連結部間に架着されシリンダベッドの上面に当接し、摺動部材との協働により、本体フレームの姿勢を所定の取付け姿勢に規制する姿勢規制部材とを備えたものである。
【００１０】
本体フレームには、摺動部材が設けられるとともに、その後端部に左右１対のＹ方向連結部が設けられ、これら両Ｙ方向連結部に姿勢規制部材がシリンダベッドと直交状に架着されている。即ち、本体フレームは、手前側の摺動部材を介してシリンダベッドの上面に当接するとともに、奥側の姿勢規制部材を介してもシリンダベッドの上面に当接するため、本体フレームの鉛直姿勢がこれら当接摺動部材と姿勢規制部材との２点支持により、所定の取付け姿勢に規制される。
【００１１】
このように、本体フレームの姿勢が所定の取付け姿勢に規制された安定姿勢で、本体フレームを奥側に移動させるため、左右１対のＹ方向連結部の高さ位置がＹ方向駆動系に対応し、これらＹ方向連結部をＹ方向駆動系に容易に連結できる。
【００１２】
ここで、前記姿勢規制部材が、シリンダベッドの上面に面接触状に当接する当接部を有する場合（請求項１に従属の請求項２）には、その当接部によるシリンダベッドの上面にに対する面接触状の当接を介して、シリンダベッドと平行な水平軸回りの本体フレームの回動姿勢が所定の取付け姿勢に規制されるため、左右両側のＹ方向連結部の各々の高さ位置がＹ方向駆動系に対応するようになり、これらＹ方向連結部をＹ方向駆動系に、より簡単に連結できる。
【００１３】
ここで、前記当接部が、姿勢規制部材をＹ方向連結部に着脱可能に固定する固定部よりも低く位置するように形成されている場合（請求項２に従属の請求項３）には、本体フレームの姿勢規制に必要な当接部だけを、左右の固定部よりも低い位置に形成することで、姿勢規制部材と下側のシリンダベッドとが衝突したり干渉することがない。
【００１４】
ここで、前記当接部が、後方に所定長さ延出させた延出部を有する場合（請求項２又は３に従属の請求項４）には、シリンダベッドの上面に面接触状に当接する接触面積が、延出部に相当して拡大されるため、本体フレームの取付け姿勢の安定化がより高くなる。
【発明の効果】
【００１５】
請求項１の発明によれば、本体フレームと摺動部材と回動フレームと回動機構と帽子枠とを備え、本体フレームの後端部に設けられＹ方向駆動系に着脱可能に連結する左右１対のＹ方向連結部と、左右１対のＹ方向連結部間に架着されシリンダベッドの上面に当接し、摺動部材との協働により、本体フレームの姿勢を所定の取付け姿勢に規制する姿勢規制部材とを備えたので、これらシリンダベッドの上面に当接する手前側の摺動部材と奥側の姿勢規制部材との２点支持により、本体フレームの鉛直姿勢が所定の取付け姿勢に規制されて安定化するため、左右１対のＹ方向連結部を対応するＹ方向駆動系へ連結させる連結作業の作業性を格段に高めることができる。
【００１６】
更に、本体フレームの左右１対のＹ方向連結部に姿勢規制部材を架着させただけなので、本体フレームの姿勢規制のための構成を簡単化することができる。加えて、帽子の刺繍縫いに際して、帽子枠装置だけを刺繍ミシンへ取付けるだけなので、帽子枠装置の取付け作業や取外し作業を格段に簡単化することができる。
【００１７】
請求項２の発明によれば、前記姿勢規制部材は、シリンダベッドの上面に面接触状に当接する当接部を有するので、その当接部によるシリンダベッドの上面に対する面接触状の当接を介して、シリンダベッドと平行な水平軸回りの本体フレームの回動姿勢についても所定の取付け姿勢に規制できるため、左右１対のＹ方向連結部とＹ方向駆動系との連結作業をより簡単化することができる。その他請求項１と同様の効果を奏する。
【００１８】
請求項３の発明によれば、前記当接部は、姿勢規制部材をＹ方向連結部に着脱可能に固定する固定部よりも低く位置するように形成されているので、当接部により本体フレームの姿勢規制を可能にできる上、姿勢規制部材と下側のシリンダベッドとの衝突や干渉を確実に防止することができる。その他請求項２と同様の効果を奏する。
【００１９】
請求項４の発明によれば、前記当接部は、後方に所定長さ延出させた延出部を有するので、シリンダベッドの上面に面接触状に当接する接触面積を延出部に相当して拡大できるため、本体フレームの取付け姿勢の安定化をより高めることができ、連結作業の迅速化を図ることができる。その他請求項２又は３と同様の効果を奏する。
【発明を実施するための最良の形態】
【００２０】
本実施形態の帽子枠装置は、本体フレームを刺繍ミシンのＸ方向駆動部及びＹ方向駆動部に取付ける際に、本体フレームの姿勢を所定の取付け姿勢に簡単に規制でき、本体フレームの刺繍ミシンへの装着を簡単化できるようにしてある。
【実施例】
【００２１】
図１に示すように、多頭式刺繍縫製装置Ｍは、左右方向（Ｘ方向）へ延びる刺繍機本体フレーム１と、刺繍機本体フレーム１の上面の後部側に配設された左右方向へ延びる略矩形状のミシン支持板２を有し、ミシン支持板２上に同一構造の３台の多針式刺繍ミシンＭ１〜Ｍ３が左右方向に一列状に並設されている。各刺繍ミシンＭ１〜Ｍ３には、鍔付き帽子６６（図４参照）の外周側部分に刺繍模様を施す為の後述する帽子枠装置３０が夫々取付け可能になっている。
【００２２】
これら刺繍ミシンＭ１〜Ｍ３の各々について、そのアーム部３の前端部には、１２本の針棒を上下動可能に支持する針棒ケース７が左右方向に移動可能に配設されている。この針棒ケース７には、１２個の天秤８も揺動可能に支持されている。一方、アーム部３には脚柱部４が連なり、脚柱部４の下端部に連なるベッド本体部５はミシン支持板２上に固定されている。ベッド本体部５の前端部からはシリンダベッド６が前方に延び、シリンダベッド６の前端部には糸輪捕捉器や糸切り装置（図示略）等が設けられている。
【００２３】
各針棒ケース７の針棒の下端部には縫針９が装着され、１２本の縫針９には糸立台１０の１２個の糸立て１１から１２色の刺繍糸が夫々供給される。針棒ケース７を左右方向に移動させて、所望の１つの縫針９をシリンダベッド６の先端部の針穴１２に対向する縫製位置に切換えることで針棒の１つが選択され、その針棒が上下に駆動されるとともに、その針棒に対応する天秤８が上下に揺動駆動されて、その針棒の縫針９と糸輪捕捉器との協働により選択された色の刺繍糸で縫目が形成される。
【００２４】
針棒や天秤８を駆動する上軸（図示略）は、ミシンモータ（図示略）に連結された駆動軸１３により回転駆動され、糸輪捕捉器を回転させる下軸（図示略）も、駆動軸１３とＶベルト１４により連結されて、駆動軸１３により回転駆動される。
【００２５】
ミシン支持板２の前側にはシリンダベッド６の上面と同じ高さまで上昇可能な作業用テーブル１５が配設され、作業用テーブル１５の左右両側には補助テーブル１６，１７が設けられている。補助テーブル１７の右端側の後端近傍部には、刺繍縫製作業に関する種々の指令を入力する為の操作パネル１８が設けられている。
【００２６】
作業用テーブル１５と補助テーブル１６，１７の上側には、Ｙ方向に移動駆動されるＹ方向送り枠１９（これがＹ方向駆動系に相当する）と、Ｘ方向に移動駆動される平面視矩形状のＸ方向送り枠２０とが配設されている。Ｘ方向送り枠２０の後端側に位置する後枠部２０ａはＹ方向送り枠１９に対して左右方向に相対移動可能に支持されている。つまり、Ｘ方向送り枠２０は、前後方向にはＹ方向送り枠１９と一体的に移動可能であり、左右方向にはＹ方向送り枠１９に対して相対移動可能に構成されている。
【００２７】
ここで、Ｙ方向とは前後方向であり、また刺繍ミシンＭ１〜Ｍ３のシリンダベッド６の延びる方向と平行な方向である。また、Ｘ方向とはＹ方向と直交する左右方向であり、また刺繍ミシンＭ１〜Ｍ３のシリンダベッド６の延びる方向と直交する方向である。また、シリンダベッド６は前方に延びる筒状であり、上端部分は前後方向に平坦状に形成されており、その上端部分以外は湾曲状のカバーで覆われている。
【００２８】
次に、帽子枠装置３０について説明する。但し、３台の刺繍ミシンＭ１〜Ｍ３に取付けられる３つの帽子枠装置３０は夫々同一構造なので、中央の刺繍ミシンＭ２の帽子枠装置３０について以下説明する。
【００２９】
図２〜図４に示すように、帽子枠装置３０は、刺繍ミシンＭ２のシリンダベッド６付近に配設され、しかもＹ方向送り枠１９に連結される本体フレーム３１と、この本体フレーム３１に回動自在に支持された環状の回動フレーム３２と、Ｘ方向送り枠２０の左右方向の移動をワイヤ５１を介して回動フレーム３２の回動に変換する回動機構３３と、回動フレーム３２に着脱可能に装着される帽子枠３４などを備えている。
【００３０】
先ず、Ｙ方向送り枠１９とＸ方向送り枠２０に連結される本体フレーム３１と、この本体フレーム３１に連結される回動フレーム３２について説明する。
図２〜図４に示すように、本体フレーム３１は、所定の板厚を有するベースフレーム３６と、このベースフレーム３６に固定され、Ｙ方向送り枠１９に連結する連結フレーム３７とを有している。
【００３１】
ベースフレーム３６は、シリンダベッド６の通過を許容する矩形状の切欠き３６ａが形成されるとともに、三角形状にくり抜いて軽量化されている。ベースフレーム３６には、回動フレーム３２を回動自在に支持する３つのローラ３８が回転可能に枢着されるとともに、回動フレーム３２の前後方向位置を回転可能に規制する規制ブロック３９が２カ所に固定されている。
【００３２】
連結フレーム３７は、図５に示すように、ベースフレーム３６の切欠き３６ａに対応する切欠き穴３７ａを形成した取付け壁部３７ｂと、この取付け壁部３７ｂの左右端部から夫々後方に折曲げられた折曲げ壁部３７ｃと、これら折曲げ壁部３７ｃの上端部を水平状に外側に折り曲げたＹ方向連結部３７ｄが夫々形成され、これら左右１対のＹ方向連結部３７ｄを、Ｙ方向送り枠１９にボルト２１にて固定した左右１対のＹ方向駆動板２２に、上向きのツマミ付きボルト４０にて着脱可能に連結することで、本体フレーム３１はＹ方向送り枠１９と連結され、Ｙ方向送り枠１９と一体的に前後方向に移動可能である。
【００３３】
ここで、左右１対のＹ方向駆動板２２は、図２に示すように、シリンダベッド６に対して左右両側において１対のＹ方向連結部３７ｄに対応させて設けられている。しかも、各Ｙ方向駆動板２２の先端部分には、前方開放状（Ｙ字状）の連結用切欠き２２ａが形成され、Ｙ方向連結部３７ｄに螺合されたツマミ付きボルト４０のネジ部を、これら連結用切欠き２２ａに挿入し易くなっている。
【００３４】
ベースフレーム３６は、更に、４本の締結ボルト４１により連結フレーム３７の取付け壁部３７ｂに、高さ位置調節可能に固定されている。即ち、ベースフレーム３６に形成されたボルト挿通穴は縦長に形成されているため、これら締結ボルト４１を緩めた場合、これら縦長のボルト挿通穴を介して、ベースフレーム３６の連結フレーム３７に対する高さ位置つまり回動フレーム３２の連結フレーム３７に対する高さ位置が調節可能になっている。
【００３５】
また、取付け壁部３７ｂの切欠き穴３７ａの上側の部位には、所定幅に亙って上方に延びる突出壁部３７ｅが形成され、その突出壁部３７ｅの上端部を前方に折曲げた水平壁部３７ｆが形成されている。ここで、突出壁部３７ｅの後側には、図２、図４、図５に示すように、鉛直壁部４２ａと後方向きの水平壁部４２ｂとからなるＬ字状に形成された合成樹脂製の抜止め防止ブラケット４２がビスにより固定され、後述する可動部材５０が、これら水平壁部３７ｆ，４２ｂにより帽子枠装置３０から外れないようになっている。
【００３６】
図２、図４に示すように、回動フレーム３２の外周部には、ワイヤ５１を導く環状のワイヤ案内溝４４が形成され、さらに、図２、図３に示すように、回動フレーム３２の外周部には、回動フレーム３２の前端側部分に帽子枠３４を外嵌状に装着した際に、帽子枠３４の係合穴７３に係合し、帽子枠３４を回動フレーム３２に一体的に連結する複数の係合ローラ４５が設けられている。回動フレーム３２の内周面には、本体フレーム３１側の２つのローラ３８と２つの規制ブロック３９が係合する環状のローラ溝３２ａ（図６参照）が形成されている。
【００３７】
次に、回動機構３３について説明する。図２〜図４に示すように、回動機構３３は、本体フレーム３１に対して左右方向に相対移動可能にＸ方向送り枠２０に連結された左右に細長い可動部材５０と、ワイヤ案内溝４４において回動フレーム３２に巻き付けられ且つその両端が可動部材５０の両端側部分に夫々連結されたワイヤ５１とを備えている。
【００３８】
図２、図３に示すように、可動部材５０の後端部の左右両端部には２つの固定穴（図示略）が形成され、可動部材５０の後端部をＸ方向送り枠２０の前端部に当接させた状態で、２つの固定穴を挿通させた下向きのツマミ付きボルト５２によりＸ方向送り枠２０に螺着することで、可動部材５０はＸ方向送り枠２０に連結される。
【００３９】
図２、図４に示すように、可動部材５０の前後方向中央部には、左右方向に延びる矩形状の切欠き５０ａが形成され、この切欠き５０ａを、連結フレーム３７の突出壁部３７ｅ及び抜止め防止ブラケット４２が挿通しているため、可動部材５０はＸ方向送り枠２０と一体的に且つ本体フレーム３１に対して相対的に左右方向へ移動可能であるとともに、帽子枠装置３０から外れないようになっている。
【００４０】
可動部材５０の下側において、回動フレーム３２から左方へ延びるワイヤ５１の一端は、可動部材５０の左端部の下側に設けられたワイヤ連結部材５３に連結され、このワイヤ連結部材５３が左右方向位置調節可能に可動部材５０にビス止めされている。一方、可動部材５０の下側において、回動フレーム３２から右方へ延びるワイヤ５１は、可動部材５０の右端部分の下側でビス止め固定されている。
【００４１】
それ故、Ｘ方向送り枠２０がＹ方向送り枠１９に対して左右方向に移動駆動されると、可動部材５０が本体フレーム３１に対してＸ方向送り枠２０と一体的に左右方向に移動する。このとき、可動部材５０の両端側部分にその両端が連結されたワイヤ５１も左右に移動するため、回動フレーム３２が複数のローラ３８を介して、正面視にて時計回り又は反時計回りに所定角度回動することになる。
【００４２】
次に、連結フレーム３７の左右両端部に形成された１対のＹ方向連結部３７ｄ間に架着された姿勢規制部材５５について、図２，図３，図５に基づいて説明する。
姿勢規制部材５５は、前後方向に所定幅を有し左右に細長い板状の部材であり、その左右両端部の固定部５５ａにおいて、Ｙ方向連結部３７ｄに夫々ビス５６により固定されている。姿勢規制部材５５の左右方向中央部分は、複数の折り曲げにより、それら固定部５５ａよりも低く位置するように平坦状の当接部５５ｂが形成されている。
【００４３】
その当接部５５ｂは、本体フレーム３１をＹ方向駆動板２２に連結する際には、シリンダベッド６の平坦な上面に面接触状に当接するように、所定長さに亙って平坦状になっている。その当接部５５ｂには、更に、後方に所定長さだけ延出させた延出部５５ｄが一体形成されている。
【００４４】
即ち、本体フレーム３１をＹ方向駆動板２２に連結する際には、摺動部材６２と、延出部５５ｄを含む当接部５５ｂとを同時に、シリンダベッド６の平坦な上面に面接触状に当接させた場合、本体フレーム３１の鉛直姿勢が所定の取付け姿勢に規制されるとともに、シリンダベッド６と平行な水平軸回りの本体フレーム３１の回動姿勢が所定の取付け姿勢に規制される。
【００４５】
次に、前述した突出壁部３７ｅと水平壁部３７ｆを用いて、シリンダベッド６に対する回動フレーム３２の姿勢を規制する姿勢規制機構６０について、図２〜図６に基づいて説明する。
【００４６】
この姿勢規制機構６０について説明すると、刺繍ミシンに装着した回動フレーム３２に、鍔付き帽子６６をセットした帽子枠３４を取付けた場合、帽子枠装置３０の前端部分が重くなり、ベースフレーム３６に設けられたローラや３８や規制ブロック３９の弾性変形、更にはこれらローラや３８や規制ブロック３９の接触部に対するローラ溝３２ａとの微小隙間等により、回動フレーム３２が若干ではあるが前傾姿勢、つまり回動フレーム３２がシリンダベッド６に対して側面視にて前方にお辞儀をする前傾姿勢になるのを、鉛直状態である正規の姿勢に規制（修正）できるようになっている。
【００４７】
連結フレーム３７の突出壁部３７ｅの左右方向中央部の後側に、側面視コ字状の姿勢調節部材６１が配設され、抜止め防止ブラケット４２により後側から上下移動可能に支持されている。この姿勢調節部材６１の下端部を前方に折曲げ形成された下壁６１ａの下面に、ブロック状の摺動部材６２の上端面が接着材等で貼着されている。
【００４８】
この摺動部材６２は、低摩擦係数を有し且つ耐摩耗性からなる部材で構成され、本体フレーム３１をＹ方向駆動板２２に連結する際に、本体フレーム３１がその摺動部材６２を介してシリンダベッド６の上面を円滑にＹ方向に摺動可能になっている。姿勢調節部材６１の上壁６１ｂと下壁６１ａを連結する鉛直且つ左右向きの連結壁６１ｃには、雌ネジを形成したボルト穴が左右２カ所に形成されている。
【００４９】
突出壁部３７ｅには、姿勢調節部材６１の２つのボルト穴に対応するように、縦方向に長い長穴３７ｇが夫々形成されている。そこで、２本の締結ボルト６３が長穴３７ｇを挿通して連結壁６１ｃのボルト穴に夫々螺着されている。それ故、これら２本の締結ボルト６３を刺繍ミシンＭ２の前方から締結操作が可能であり、前方からドライバでこれら締結ボルト６３を緩めることで、姿勢調節部材６１が、長穴３７ｇを介して連結フレーム３７（本体フレーム３１）に対して上下位置調節可能になっている。
【００５０】
姿勢調節部材６１を本体フレーム３１に対して押し下げた場合、本体フレーム３１は、Ｙ方向連結部３７ｄを揺動支点として、摺動部材６２とシリンダベッド６の上面との接触を介してその反力により、持ち上がるようになる（図６参照）。逆に、姿勢調節部材６１を本体フレーム３１に対して押し上げた場合、本体フレーム３１は、Ｙ方向連結部３７ｄを揺動支点として、摺動部材６２を介して自重により、下がるようになる。
【００５１】
次に、帽子枠３４について、図２，図４に基づいて簡単に説明する。
帽子枠３４は、回動フレーム３２に着脱自在に装着される環状の帽子枠本体６５と、この帽子枠本体６５に一端が連結され帽子枠本体６５に鍔付き帽子６６を上側から挟んで着脱自在に固定される正面視にて湾曲状の押え枠部材６７と、鍔付き帽子６６の形状を内側から保持する形状保持部材６８とを有する。
【００５２】
帽子枠本体６５には、回動フレーム３２に外嵌される環状の取付け枠部７０と、取付け枠部７０に付設された鍔状部７１と、この鍔状部７１に固定されて取付け枠部７０の中央最上部から後方へ斜め上方に立ち上がり、鍔付き帽子６６の鍔部６６ａを支持する鍔支持体７２等が設けられている。取付け枠部７０には、回動フレーム３２に付設された２つの係合ローラ４５が夫々係合する２つの係合穴７３が形成され、４つの係合ローラ４５を対応する係合穴７３に夫々係合させることで、帽子枠３４が回動フレーム３２に着脱自在に固定される。
【００５３】
帽子枠本体６５には、鍔付き帽子６６の刺繍縫い部６６ｂの形状を湾曲状に且つ緩みのない状態に張るための平面視矩形枠状の形状保持部材６８の前端部が固定されている。鍔支持体７２の基部の前面には、鍔部６６ａの基端部の内面側中央部を後方から受け止める受け止め部材７４が固着されている。
【００５４】
次に、このように構成された帽子枠装置３０の作用について説明する。
先ず、作業用テーブル１５を下降位置に下降させてから、本体フレーム３１に形成した１対のＹ方向連結部３７ｄを、Ｙ方向送り枠１９の対応するＹ方向駆動板２２に夫々連結させる。この場合には、先ず、ベースフレーム３６の切欠き３６ａ及び連結フレーム３７の切欠き穴３７ａにシリンダベッド６の先端部を挿通させる。このとき、作業者は本体フレーム３１を下げ気味にして、手前側の摺動部材６２と、奥側の延出部５５ｄを含む当接部５５ｂを、シリンダベッド６の上面の平坦部分に載置させる。
【００５５】
この場合、前述したように、平坦状の当接部５５ｂは左右方向に所定長さを有するとともに、延出部５５ｄは当接部５５ｂよりも後方に延出しているため、これら摺動部材６２と、延出部５５ｄを含む当接部５５ｂとにより、本体フレーム３１の鉛直姿勢が、所定の取付け姿勢に規制される。
【００５６】
更に、これと同時に、その当接部５５ｂによるシリンダベッド６の上面に対する面接触状の当接を介して、シリンダベッド６と平行な水平軸回りの本体フレーム３１の回動姿勢についても所定の取付け姿勢に規制される。このように、本体フレーム３１の鉛直姿勢及び回動姿勢が所定の取付け姿勢に規制された場合、本体フレーム３１の１対のＹ方向連結部３７ｄの各々がＹ方向送り枠の１対のＹ方向駆動板２２の各々に対応する位置関係となる。
【００５７】
それ故、作業者はこの所定の取付け姿勢を保持した状態で、本体フレーム３１をシリンダベッド６に沿って奥側にスライド移動させるだけで、Ｙ方向連結部３７ｄに予め螺合されたツマミ付きボルト４０のネジ部を、各Ｙ方向駆動板２２の先端部分に形成されたＹ字状の連結用切欠き２２ａに簡単に挿入させることができる。このとき、ツマミ付きボルト４０を締め込んで、Ｙ方向連結部３７ｄをＹ方向駆動板２２に簡単に連結することができる。
【００５８】
その後、可動部材５０を、１対のツマミ付きボルト５２によりＸ方向送り枠２０に夫々締結する。これにより、本体フレーム３１の刺繍ミシンＭ１〜Ｍ３に対する連結作業が完了する。そこで、鍔付き帽子６６を予めセットした帽子枠３４を、回動フレーム３２に装着する。このとき、前述したように、回動フレーム３２が前傾姿勢に傾斜するので、最終的に、姿勢規制機構６０により、回動フレーム３２のシリンダベッド６に対する取付け姿勢を規制する。
【００５９】
即ち、先ず、２本の締結ボルト６３をドライバ等を用いて前方から少しだけ緩める。このとき、姿勢調節部材６１は、その下端の摺動部材６２がシリンダベッド６の上面に当接するまで下降し、更に、回動フレーム３２及び本体フレーム３１が、長穴３７ｇを介してその自重で下がる。即ち、回動フレーム３２が、図４に２点鎖線で示すように、Ｙ方向連結部３７ｄを揺動支点として前傾姿勢に傾斜する。このとき、摺動部材６２はシリンダベッド６の上面に当接した状態である。
【００６０】
そこで、作業者は、姿勢調節部材６１を押し下げながらその反作用で連結フレーム３７の水平壁部３７ｆを徐々に持ち上げる。即ち、この場合、摺動部材６２をシリンダベッド６の上面に強く押圧した状態であるため、連結フレーム３７及びベースフレーム３６はＹ方向連結部３７ｄを揺動支点として、図６に２点鎖線で示すように、鉛直姿勢から、鉛直姿勢に対して前傾姿勢とは逆の後傾姿勢（仰向き姿勢）に規制されるので、この後傾姿勢を介して、回動フレーム３２は前傾姿勢から鉛直姿勢、つまり正規の姿勢に規制される。このとき、作業者はドライバ等で前方から２本の締結ボルト６３を締め込む。
【００６１】
ここで、回動フレーム３２の姿勢がこのような正規の姿勢となるように規制された場合、摺動部材６２がシリンダベッド６の上面に強く押圧された押圧状態を保持しながら、回動フレーム３２の正規の姿勢が保持される。それ故、刺繍縫いが実行されて、回動フレーム３２がＹ方向に移動する場合でも、回動フレーム３２の正規の姿勢は確実に保持される。更には、回動フレーム３２の何れの部位においてもシリンダベッド６に接触しないため、鍔付き帽子６６の刺繍縫い部６６ｂには、綺麗な縫目が形成される。
【００６２】
一方、回動フレーム３２の姿勢が、このように正規の姿勢に規制された場合でも、ベースフレーム３６を連結フレーム３７に固定してある４本の締結ボルト４１を緩めることで、回動フレーム３２のシリンダベッド６に対する高さ位置、つまり上下位置を微調節できるようになっている。
【００６３】
このように、本体フレーム３１の後端部に設けられＹ方向送り枠１９のＹ方向駆動板２２に着脱可能に連結する左右１対のＹ方向連結部３７ｄと、左右１対のＹ方向連結部３７ｄ間に架着されシリンダベッド６の上面に当接し、摺動部材６２との協働により、本体フレーム３１の姿勢を所定の取付け姿勢に規制する姿勢規制部材５５とを備えたので、これらシリンダベッド６の上面に当接する手前側の摺動部材６２と奥側の姿勢規制部材５５との２点支持により、本体フレーム３１の鉛直姿勢が所定の取付け姿勢に規制され、安定化するため、左右１対のＹ方向連結部３７ｄを対応するＹ方向駆動系へ連結させる連結作業の作業性を格段に高めることができる。
【００６４】
また、本体フレーム３１の左右１対のＹ方向連結部３７ｄに姿勢規制部材５５を架着させただけなので、本体フレーム３１の姿勢規制のための構成を簡単化することができる。更に、鍔付き帽子６６の刺繍縫いに際して、帽子枠装置３０だけを刺繍ミシンＭへ取付けるだけなので、帽子枠装置３０の取付け作業や取外し作業を格段に簡単化することができる。
【００６５】
また、姿勢規制部材５５は、シリンダベッド６の上面に面接触状に当接する当接部５５ｂを有するので、その当接部５５ｂによるシリンダベッド６の上面に対する面接触状の当接を介して、シリンダベッド６と平行な水平軸回りの本体フレーム３１の回動姿勢についても所定の取付け姿勢に規制できるため、左右１対のＹ方向連結部３７ｄとＹ方向送り枠１９との連結作業をより簡単化することができる。
【００６６】
また、姿勢規制部材５５の当接部５５ｂは、姿勢規制部材５５をＹ方向連結部３７ｄに着脱可能に固定する固定部５５ａよりも低く位置するように形成されているので、当接部５５ｂにより本体フレーム３１の姿勢規制を可能にできる上、姿勢規制部材５５と下側のシリンダベッド６との衝突や干渉を確実に防止することができる。
【００６７】
更に、当接部５５ｂは、後方に所定長さ延出させた延出部５５ｄを有するので、シリンダベッド６の上面に面接触状に当接する接触面積を延出部５５ｄに相当して拡大できるため、本体フレーム３１の取付け姿勢の安定化をより高めることができ、連結作業の迅速化が図れる。
【００６８】
次に、前記実施形態を部分的に変更した変更形態について説明する。
１〕姿勢規制部材５５の当接部５５ｂを、段落ち状に直角に曲げ形成により設け、その固定部５５ａよりも低く位置するように構成してもよい。
【００６９】
２〕姿勢規制部材５５は、直線状に構成する以外に、その左右方向中央部が後方に後退するように、平面視にてＶ字状、矩形状、又は三角形状に構成するようにしてもよい。この場合には、延出部５５ｄを省略するようにしてもよい。
【００７０】
３〕姿勢規制部材５５の当接部５５ｂ及び延出部５５ｄの下面に、摩擦係数が非常に小さい滑りテープを張り付けるようにしてもよい。
【００７１】
４〕前記実施形態に関し、既存の技術や当業者に自明の技術に基いて種々の変更を加えることもあり得る。更に、鍔付き帽子の前面部や側面部に刺繍縫いを施すように構成した各種の帽子枠装置に本発明を適用し得ることは勿論である。
【産業上の利用可能性】
【００７２】
鍔付き帽子の前面部や側面部の刺繍縫い部に刺繍縫いを施するために、帽子枠装置を刺繍ミシンのＹ方向駆動系に連結するに際して、帽子枠装置の本体フレームに１対のＹ方向連結部を有する各種の帽子枠装置に適用できる。
【図面の簡単な説明】
【００７３】
【図１】本発明の実施形態に係る多頭式刺繍縫製装置の斜視図である。
【図２】帽子枠を取外した帽子枠装置の平面図である。
【図３】帽子枠を取外した帽子枠装置の正面図である。
【図４】帽子枠を取外した帽子枠装置の側面図である。
【図５】帽子枠装置の背面図である。
【図６】帽子枠装置の要部縦断側面図である。
【符号の説明】
【００７４】
６      シリンダベッド
１９    Ｙ方向送り枠
２０    Ｘ方向送り枠
３０    帽子枠装置
３１    本体フレーム
３２    回動フレーム
３３    回動機構
３４    帽子枠
３７ｄ  Ｙ方向連結部
５５    姿勢規制部材
５５ａ  固定部
５５ｂ  当接部
５５ｄ  延出部
６２    摺動部材
Ｍ１〜Ｍ３  刺繍ミシン
【図１】
2005073813.tif 000003
【図２】
2005073813.tif 000004
【図３】
2005073813.tif 000005
【図４】
2005073813.tif 000006
【図５】
2005073813.tif 000007
【図６】
2005073813.tif 000008